(57)【要約】【課題】日射遮蔽装置の窓枠等への建て付け状態や寸法誤差等にほとんど影響されることなく、日射光を確実に遮光することができる日射遮蔽装置の遮光構造を提供する。【解決手段】ロールスクリーン１はスクリーン１０と遮蔽機構１２とガイドレール１３，１３とで構成される。そして、遮蔽機構１２の上方と後方が遮光板２によって遮光されている。遮蔽機構１２の両側の遮光領域は、補助遮光体３によって調整することができる。そして、遮光板２の下端とガイドレール１３の上端の間が遮光部材４によって遮光されている。また、ウェイトバー１１と下枠との間は可動遮光材５によって遮光され、ウェイトバー１１の端部とガイドレール１３との間は遮光部材６によって遮光されている。【選択図】図１
2015187372.tif 000002
【特許請求の範囲】
【請求項１】
遮蔽材と、この遮蔽材を引き出し及び引き戻し可能な遮蔽機構と、先端部をこの遮蔽機構の側端部に向けた状態で配設され且つ遮蔽材の一方側に位置する第１ガイド壁と遮蔽材の他方側に位置する第２ガイド壁とこれら第１ガイド壁と第２ガイド壁との間の間隙で成るガイド通路とを有するガイドレールとを備え、上記遮蔽材の外縁部がこのガイドレールのガイド通路内に入り込んだ日射遮蔽装置であって、
上記遮蔽機構の部位であって上記ガイドレールとは逆側に位置する部位を覆い且つ窓枠等の第１枠に取り付け可能な第１遮光壁と遮蔽機構の部位であって上記遮蔽材の他方側に位置する部位を覆う第２遮光壁とを有する遮光板を設けた、
ことを特徴とする日射遮蔽装置の遮光構造。
【請求項２】
請求項１に記載の日射遮蔽装置の遮光構造において、
上記遮光板の第２遮光壁に当接可能な第３遮光壁とこの第３遮光壁に連結し上記遮蔽機構の側面を覆うことが可能な第４遮光壁とを有した補助遮光体を、遮光板端部にスライド自在に取り付けた、
ことを特徴とする日射遮蔽装置の遮光構造。
【請求項３】
請求項１又は請求項２に記載の日射遮蔽装置の遮光構造において、
上記遮光板の側端部と上記ガイドレールの先端部との間の隙間を覆う遮光部材を設けた、
ことを特徴とする日射遮蔽装置の遮光構造。
【請求項４】
遮蔽材と、この遮蔽材を引き出し及び引き戻し可能な遮蔽機構と、先端部をこの遮蔽機構の側端部に向けた状態で配設され且つ遮蔽材の一方側に位置する第１ガイド壁と遮蔽材の他方側に位置する第２ガイド壁とこれら第１ガイド壁と第２ガイド壁との間の間隙で成るガイド通路とを有するガイドレールとを備え、上記遮蔽材の外縁部がこのガイドレールのガイド通路内に入り込んだ日射遮蔽装置であって、
上記ガイドレールの側面のうち上記遮蔽材側を向く側面とは反対の側面に、ガイドレールを上記第１枠の両側の第２枠に取り付けた際に生じる隙間を塞ぐための弾性を有する遮光部を設けた、
ことを特徴とする日射遮蔽装置の遮光構造。
【請求項５】
遮蔽材と、この遮蔽材を引き出し及び引き戻し可能な遮蔽機構と、先端部をこの遮蔽機構の側端部に向けた状態で配設され且つ遮蔽材の一方側に位置する第１ガイド壁と遮蔽材の他方側に位置する第２ガイド壁とこれら第１ガイド壁と第２ガイド壁との間の間隙で成るガイド通路とを有するガイドレールとを備え、上記遮蔽材の外縁部がこのガイドレールのガイド通路内に入り込んだ日射遮蔽装置であって、
両側に上記外縁部を残した状態で上記遮蔽材の先端縁部に取り付けられた筒状のウェイトバーに、ウェイトバーの一方端から他方端に至る線状の開口を設け、ウェイトバーと略同長で一方端部が水平な可動遮光材を、その他方端部をウェイトバー内に収納し且つ大半部を上記開口から露出させた状態で、ウェイトバーに嵌めた、
ことを特徴とする日射遮蔽装置の遮光構造。
【請求項６】
請求項５に記載の日射遮蔽装置の遮光構造において、
上記可動遮光材は、上記開口との接触部を中心にウェイトバーの周方向に回転自在の状態、上記ウェイトバーに対して上記開口を通じて進退自在の状態、又は弾性を有する状態のうちのいずれか一以上の状態で上記ウェイトバーに嵌められている、
ことを特徴とする日射遮蔽装置の遮光構造。
【請求項７】
請求項５ないし請求項６のいずれかに記載の日射遮蔽装置の遮光構造において、
ガイドレールの基端部と上記遮蔽材に取り付けたウェイトバーの側端部との間に生じる隙間を覆う遮光部材を、ガイドレールの基端部側に設けた、
ことを特徴とする日射遮蔽装置の遮光構造。
【発明の詳細な説明】
【技術分野】
【０００１】
この発明は、日射遮蔽装置の隙間を覆って、日射光が日射遮蔽装置を通過しないようにした遮光構造に関するものである。
【背景技術】
【０００２】
従来、この種の日射遮蔽装置としては、例えば、特許文献１〜３に開示されているようなロールスクリーンがある。
このようなロールスクリーンでは、巻取軸に巻取られた遮蔽材としてのスクリーンが引出操作によって下降し、また、巻取軸から引き出されたスクリーンが巻取操作によって上昇する。
そして、１対のガイドレールがスクリーンの両側に立設されており、巻取軸から引き出されたスクリーンの外縁部側に隙間ができないように、スクリーンの外縁部がこれらガイドレールの内側に入り込んでいる。
これにより、ガイドレールが、スクリーンを昇降方向に沿って案内すると共に、日射光がスクリーンの外縁部側の隙間から入り込まないように遮光する。
【先行技術文献】
【特許文献】
【０００３】
【特許文献１】特開平１０−２３８２６０号公報
【特許文献２】特開昭６２−１４１２９０号公報
【特許文献３】特開平１−０６１１５８号公報
【発明の概要】
【発明が解決しようとする課題】
【０００４】
しかし、上記した従来の日射遮蔽装置の遮光構造では、次のような問題がある。
ロールスクリーン等の日射遮蔽装置を窓枠に組み付けた場合に、窓枠や日射遮蔽装置の建て付け状態や各部の寸法誤差等によって、隙間が、ガイドレールと窓枠の縦枠との間、スクリーンの下縁部と下枠との間、スクリーンの上部と上枠との間等にも発生するおそれがある。
このような場合には、上記した日射遮蔽装置の遮光構造では、遮光が十分でなく、外の日射光が隙間から室内に入り込み、日射遮蔽装置の価値を半減させてしまう。
このような問題は、縦型のロールスクリーンだけでなく、プリーツスクリーン、ブラインド装置であっても同様に生じる問題であって、所定の位置に保持されるべき遮蔽材を備える日射遮蔽装置において共通する問題であった。
【０００５】
この発明は、上述した課題を解決するためになされたもので、日射遮蔽装置の窓枠等への建て付け状態や寸法誤差等にほとんど影響されることなく、日射光を確実に遮光することができる日射遮蔽装置の遮光構造を提供することを目的とする。
【課題を解決するための手段】
【０００６】
上記課題を解決するために、請求項１の発明は、遮蔽材と、この遮蔽材を引き出し及び引き戻し可能な遮蔽機構と、先端部をこの遮蔽機構の側端部に向けた状態で配設され且つ遮蔽材の一方側に位置する第１ガイド壁と遮蔽材の他方側に位置する第２ガイド壁とこれら第１ガイド壁と第２ガイド壁との間の間隙で成るガイド通路とを有するガイドレールとを備え、遮蔽材の外縁部がこのガイドレールのガイド通路内に入り込んだ日射遮蔽装置であって、遮蔽機構の部位であってガイドレールとは逆側に位置する部位を覆い且つ窓枠等の第１枠に取り付け可能な第１遮光壁と遮蔽機構の部位であって遮蔽材の他方側に位置する部位を覆う第２遮光壁とを有する遮光板を設けた構成とする。
かかる構成により、遮蔽材を遮蔽機構により完全に引き出すことで、窓等から入り込む日射光の大部分を、遮蔽材によって遮光することができる。
そして、遮蔽材の外縁部がガイドレールのガイド通路内に入り込んでいるので、日射光が遮蔽材の外縁とガイドレールとの間から室内に入り込むこともない。
さらに、遮蔽機構の部位であってガイドレールとは逆側に位置する部位に向かう日射光や遮蔽機構において遮蔽材の他方側に位置する部位に向かう日射光が存在する場合であっても、遮光板が遮光するので、日射光が遮蔽機構を通り抜けて室内に入り込んだり、遮蔽機構で反射されて室内に入り込むということはない。
【０００７】
請求項２の発明は、請求項１に記載の日射遮蔽装置の遮光構造において、遮光板の第２遮光壁に当接可能な第３遮光壁とこの第３遮光壁に連結し遮蔽機構の側面を覆うことが可能な第４遮光壁とを有した補助遮光体を、遮光板端部にスライド自在に取り付けた構成とする。
かかる構成により、補助遮光体をスライドさせて、伸ばすことで、遮蔽機構両側の遮光領域を広くすることができる。そして、補助遮光体を逆にスライドさせて、縮めることで、遮蔽機構両側の遮光領域を狭くすることができる。
【０００８】
請求項３の発明は、請求項１又は請求項２に記載の日射遮蔽装置の遮光構造において、遮光板の側端部とガイドレールの先端部との間の隙間を覆う遮光部材を設けた構成とする。
かかる構成により、遮光板の側端部とガイドレールの先端部との間の隙間に向かう日射光を、遮光部材によって遮光することができる。
【０００９】
請求項４の発明は、遮蔽材と、この遮蔽材を引き出し及び引き戻し可能な遮蔽機構と、先端部をこの遮蔽機構の側端部に向けた状態で配設され且つ遮蔽材の一方側に位置する第１ガイド壁と遮蔽材の他方側に位置する第２ガイド壁とこれら第１ガイド壁と第２ガイド壁との間の間隙で成るガイド通路とを有するガイドレールとを備え、遮蔽材の外縁部がこのガイドレールのガイド通路内に入り込んだ日射遮蔽装置であって、ガイドレールの側面のうち遮蔽材側を向く側面とは反対の側面に、ガイドレールを第１枠の両側の第２枠に取り付けた際に生じる隙間を塞ぐための弾性を有する遮光部を設けた構成とする。
かかる構成により、第２枠とガイドレール側面との隙間に向かう日射光を、遮光部によって遮光することができる。
【００１０】
請求項５の発明は、遮蔽材と、この遮蔽材を引き出し及び引き戻し可能な遮蔽機構と、先端部をこの遮蔽機構の側端部に向けた状態で配設され且つ遮蔽材の一方側に位置する第１ガイド壁と遮蔽材の他方側に位置する第２ガイド壁とこれら第１ガイド壁と第２ガイド壁との間の間隙で成るガイド通路とを有するガイドレールとを備え、遮蔽材の外縁部がこのガイドレールのガイド通路内に入り込んだ日射遮蔽装置であって、両側に外縁部を残した状態で遮蔽材の先端縁部に取り付けられた筒状のウェイトバーに、ウェイトバーの一方端から他方端に至る線状の開口を設け、ウェイトバーと略同長で一方端部が水平な可動遮光材を、その他方端部をウェイトバー内に収納し且つ大半部を開口から露出させた状態で、ウェイトバーに嵌めた構成とする。
かかる構成により、遮蔽材を引き出し、ウェイトバーを上記第１枠と向かい合う第３枠まで移動させると、ウェイトバーと第３枠との間に隙間が発生するおそれがあるが、この発明では、ウェイトバーから露出した可動遮光材が第３枠に接触し、水平な一方端部が第３枠に隙間なく当接するので、ウェイトバーと第３枠との間の隙間を、この可動遮光材によって遮光することができる。
【００１１】
請求項６の発明は、請求項５に記載の日射遮蔽装置の遮光構造において、可動遮光材は、開口との接触部を中心にウェイトバーの周方向に回転自在の状態、ウェイトバーに対して開口を通じて進退自在の状態、又は弾性を有する状態のうちのいずれか一以上の状態でウェイトバーに嵌められている構成とした。
【００１２】
請求項７の発明は、請求項５ないし請求項６のいずれかに記載の日射遮蔽装置の遮光構造において、ガイドレールの基端部と上記遮蔽材に取り付けたウェイトバーの側端部との間に生じる隙間を覆う遮光部材を、ガイドレールの基端部側に設けた構成とする。
かかる構成により、ガイドレールの基端部とウェイトバーの側端部との間に生じる隙間から入り込もうとする日射光を、遮光部材によって遮光することができる。
【発明の効果】
【００１３】
以上詳しく説明したように、この発明の日射遮蔽装置の遮光構造によれば、スクリーンの外縁部とガイドレールとの隙間だけでなく、日射遮蔽装置に生じるおそれのある隙間をほぼ完全に遮光することができるという優れた効果がある。さらに、窓枠等への建て付け状態や寸法誤差等による影響を受けることなく、日射光を確実に遮光することができるという効果がある。
【図面の簡単な説明】
【００１４】
【図１】この発明の第１実施例に係る遮光構造を備えた日射遮蔽装置を示す分解斜視図である。
【図２】図１に示す日射遮蔽装置の前面図である。
【図３】図２の矢視Ａ−Ａ断面図である。
【図４】図２の矢視Ｂ−Ｂ断面図である。
【図５】補助遮光体を示す斜視図である。
【図６】補助遮光体の機能を説明するための断面図である。
【図７】遮光部材を示す斜視図である。
【図８】可動遮光材を有したウェイトバーの部分断面図である。
【図９】可動遮光材の機能を説明するための部分断面図である。
【図１０】遮光部材を示す斜視図である。
【図１１】遮光部材の機能を説明するための下部前面図である。
【図１２】この発明の第２実施例に係る日射遮蔽装置の遮光構造に適用されるフロントパネルを示す斜視図である。
【図１３】第２実施例の日射遮蔽装置の遮光構造を示す断面図である。
【図１４】この発明の第３実施例に係る日射遮蔽装置の遮光構造の要部を示す斜視図である。
【図１５】第３実施例の遮光構造が示す作用及び効果を説明するための断面図である。
【図１６】この発明の第４実施例に係る日射遮蔽装置の遮光構造の要部を示す断面図である。
【図１７】この発明の第５実施例に係る日射遮蔽装置の遮光構造の要部を示す断面図である。
【図１８】この発明の第６実施例に係る日射遮蔽装置の遮光構造に適用される下部遮光部材を示す斜視図である。
【図１９】第６実施例の日射遮蔽装置の遮光構造の機能を説明するための断面図である。
【図２０】この発明の第７実施例に係る日射遮蔽装置の遮光構造を示す断面図である。
【図２１】遮光構造に適用される上キャップの後面図である。
【図２２】遮光扉を下方から見た斜視図である。
【図２３】遮光扉の取り付け状態を示す概略図である。
【図２４】上キャップの下面図である。
【図２５】上キャップの挿入部をガイドレールに挿入させた状態を示す断面図である。
【図２６】遮光扉が前側に開いた状態を示す概略図である。
【図２７】図２６に対応した上キャップの後面図である。
【図２８】遮光扉が後側に開いた状態を示す概略図である。
【図２９】スクリーンの復帰作業時における遮光扉の機能を説明するための断面図である。
【図３０】この発明の第８実施例に係る日射遮蔽装置の遮光構造を示す断面図である。
【図３１】第８実施例の一変形例を示す断面図である。
【図３２】この発明の第９実施例に係る日射遮蔽装置の遮光構造の要部を示す斜視図である。
【図３３】ウェイトバーのキャップを示す断面図である。
【図３４】ウェイトバーの引っ掛かり状態を示す断面図である。
【図３５】傾斜面の作用を説明するための断面図である。
【図３６】第３実施例の一変形例を示す断面図である。
【図３７】第６実施例の一変形例を示す断面図である。
【発明を実施するための形態】
【００１５】
以下、この発明の最良の形態について図面を参照して説明する。
【００１６】
（実施例１）
図１は、この発明の第１実施例に係る遮光構造を備えた日射遮蔽装置を示す分解斜視図であり、図２は、図１に示す日射遮蔽装置の前面図であり、図３は、図２の矢視Ａ−Ａ断面図であり、図４は、図２の矢視Ｂ−Ｂ断面図である。
【００１７】
図１及び図２に示すように、この実施例の日射遮蔽装置は、ロールスクリーン１であり、図示しない窓枠等に組み付けることができる。なお、図２において、図の表面側がロールスクリーン１の前側であり、部屋の窓枠等に組み付けられる場合には、この前側が室内側に向けられる。そして、図の裏面側がロールスクリーン１の後側であり、室外側に向けられる。
このロールスクリーン１は、遮蔽材としてのスクリーン１０と、遮蔽機構１２と、長尺状のガイドレール１３，１３とで構成されている。
【００１８】
スクリーン１０は、窓等の外から室内に入り込む日射光を遮光するための矩形形状の生地である。このスクリーン１０は、遮蔽機構１２の巻取軸１２Ａに巻き付けられている。そして、ウェイトバー１１が、このスクリーン１０の先端部としての下端部に取り付けられている。
【００１９】
遮蔽機構１２は、上記スクリーン１０を、引き出し及び引き戻し、すなわち引き上げ及び引き下げるための機構であり、窓枠等の第１枠としての上枠に取り付けられる。具体的には、図１に示すように、公知の回転機構１２Ｂが、巻取軸１２Ａの右端部に組み付けられ、この巻取軸１２Ａが、取付フレーム１２Ｄに回転自在に取り付けられている。この巻取軸１２Ａを正回転又は逆回転させることにより、スクリーン１０を巻き上げ又は巻き戻して、昇降させることができる。
【００２０】
ガイドレール１３，１３は、スクリーン１０の両外縁部１０Ａ，１０Ａを保持して、スクリーン１０を昇降方向に案内する部材であり、遮蔽機構１２の左端部及び右端部の下方にそれぞれ立設されている。
ガイドレール１３は、ガイドレール本体１３Ａとレールベース１３Ｂとを有している。レールベース１３Ｂは、図３に示すように、窓枠等の縦枠１０１に固定され、ガイドレール本体１３Ａは、レールベース１３Ｂに組み付けられる構造になっている。
ガイドレール１３において、符号１３ａ１が、第１ガイド壁としての前側ガイド壁であり、この前側ガイド壁１３ａ１がスクリーン１０の一方側としての前側に位置する。そして、符号１３ａ２が、第２ガイド壁としての後側ガイド壁であり、この後側ガイド壁１３ａ２がスクリーン１０の他方側としての後側に位置する。
これら前側ガイド壁１３ａ１と後側ガイド壁１３ａ２との間隙が、スクリーン１０の左右両側の外縁部１０Ａを保持するためのガイド通路１３Ｃを形成している。
つまり、図２及び図３に示すように、スクリーン１０の両外縁部１０Ａ，１０Ａを、ガイドレール１３のガイド通路１３Ｃ内に収納することで、スクリーン１０の外縁部１０Ａとガイドレール１３との間隙を無くしている。
【００２１】
上記のごときロールスクリーン１においては、各種の遮光構造が、ロールスクリーン１の上部、中部、下部に渡って施されている。
【００２２】
図１及び図４に示すように、ロールスクリーン１の上部においては、遮蔽機構１２を上方と後方とから遮光するための遮光板２が設けられている。
遮光板２は、ほぼ水平な第１遮光壁としての天壁２０とほぼ垂直な第２遮光壁としての後壁２１とで形成された断面略Ｌ字状の長尺体であり、所謂ベースフレームとしても機能する。
すなわち、図４に示すように、天壁２０が窓枠等の第１枠としての上枠１００に当てられた状態で、ビス２０ｂがビス孔２０ａを通じて上枠１００に螺入され、遮光板２が上枠１００に固定されている。そして、回転機構１２Ｂと巻取軸１２Ａとが取付フレーム１２Ｄに組み付けられ、この取付フレーム１２Ｄが、後壁２１に取り付けられたブラケット１２Ｅ，１２Ｅに取り付けられている。このようにして、遮蔽機構１２全体が遮光板２に組み付けられている。
【００２３】
この実施例の遮光板２では、 その長さ（図２の左右方向の寸法）が、遮蔽機構１２の長さとほぼ同値に設定されている。そして、天壁２０の幅寸法（図４の左右方向の寸法）は、上枠１００の幅の略半値に設定され、後壁２１の高さ寸法（図４の上下方向の寸法）は、遮蔽機構１２の高さ寸法よりも大きく設定されている。
これにより、遮蔽機構１２のガイドレール１３とは逆側の部位の方向である上方が、遮光板２の天壁２０によって覆われ、スクリーン１０の他方側の方向である遮蔽機構１２の後方が、後壁２１によって覆われた状態になっている。
勿論、天壁２０の幅寸法（図４の左右方向の寸法）を、上枠１００の幅以上の値に設定して、天壁２０が遮蔽機構１２をほぼ完全に覆うようにしても良い。
【００２４】
さらに、ロールスクリーン１の上部においては、図１に示すように、遮蔽機構１２の両側の遮光領域を調整することができる補助遮光体３が、設けられている。
図５は、補助遮光体３を示す斜視図であり、図６は、補助遮光体３の機能を説明するための断面図である。
図５に示すように、補助遮光体３は、第３遮光壁としての短後壁３０と、この短後壁３０に連結した第４遮光壁としての側壁３１とで形成されており、平面視において、略Ｌ字状をなす。また、これら短後壁３０と側壁３１の高さは遮光板２の後壁２１の高さとほぼ同一に設定されている。
このような補助遮光体３の側壁３１には、舌片３２が、短後壁３０と平行に突設されている。一方、遮光板２の後壁２１の前面には、図６の（ａ）に示すように、開口３３ａを側方に向けたサヤ部３３が形成されている。
舌片３２が、このサヤ部３３に納められ、短後壁３０が遮光板２の後壁２１に当接された状態で、補助遮光体３が遮光板２の両端部にスライド自在に取り付けられている。
これにより、図６の（ａ）に示すように、補助遮光体３を遮光板２側に完全に納めた状態から、図６の（ｂ）に示すように、補助遮光体３を遮光板２から離れる方向にスライドさせることで、補助遮光体３の両側の遮光領域を拡げることができる。
【００２５】
図１〜図６に示したように、ロールスクリーン１の上部に位置する遮蔽機構１２は、遮光板２と補助遮光体３とによって、上方、後方及び側方から遮光されているが、この遮蔽機構１２とガイドレール１３との間は、遮光部材４によって遮光されている。
図７は、遮光部材４を示す斜視図である。
図７に示すように、遮光部材４は、上キャップ１４と水平遮光部４０と垂直遮蔽部４１とで一体形成されている。
具体的には、遮光部材４の上キャップ１４は、前側誘導壁１４Ａと後側誘導壁１４Ｂと誘導溝１４Ｃとベース挿入壁１４Ｄとで構成され、水平遮光部４０がこのベース挿入壁１４Ｄに連結している。
【００２６】
このような上キャップ１４は、図４に示すように、ガイドレール１３上に固定されている。
具体的には、前側誘導壁１４Ａが、ガイドレール本体１３Ａ上の前側に固定され、後側誘導壁１４Ｂが、ガイドレール本体１３Ａ上の後側に固定されている。そして、ベース挿入壁１４Ｄが、レールベース１３Ｂの上部内に挿入され、レールベース１３Ｂの上部に固定されている。また、誘導溝１４Ｃはガイドレール本体１３Ａのガイド通路１３Ｃに連通している。
【００２７】
上キャップ１４のかかる固定状態において、遮光部材４の水平遮光部４０は、後方を向いており、その先端部４０ａが、遮光板２の後壁２１の折返部２１ａに接合している。
また、垂直遮蔽部４１は、後側誘導壁１４Ｂの後方に位置して、水平遮光部４０と後側誘導壁１４Ｂとの間隙を後方から覆っている。
つまり、遮光部材４は、上キャップ１４と水平遮光部４０と垂直遮蔽部４１とによって、遮光板２の側端部である後壁２１の下端側部とガイドレール１３の上端部との隙間Ｇ１を覆っている。
なお、この実施例では、遮光部材４の上キャップ１４と水平遮光部４０と垂直遮蔽部４１とを一体に形成したが、上キャップ１４と水平遮光部４０と垂直遮蔽部４１とを分離した別体に形成して、上記したそれぞれの位置に配置するようにしても良い。
【００２８】
一方、ロールスクリーン１の下部においては、可動遮光材５が、スクリーン１０のウェイトバー１１に設けられている。
ウェイトバー１１は、筒状体であり、スクリーン１０の先端縁部としての下縁部に取り付けられている。図２及び図３に示したように、ウェイトバー１１の長さは、スクリーン１０の幅よりも短く設定されている。ウェイトバー１１は、スクリーン１０の中央部に取り付けられており、スクリーン１０の外縁部１０Ａがウェイトバー１１の両側からはみ出ている。
図８は、可動遮光材５を有したウェイトバー１１の部分断面図であり、図９は、可動遮光材５の機能を説明するための部分断面図である。
図８に示すように、開口１１Ｂがウェイトバー１１の下端に形成され、中空部１１Ａと連通している。この開口１１Ｂは、長さ方向に沿って、ウェイトバー１１の一方端から他方端に至る線状の開口である。
可動遮光材５は、断面略Ｊ字状をなす合成樹脂製の帯体であり、その長さは、ウェイトバー１１と略同長に設定されている。可動遮光材５の他方端部としての上端部５０は、遮光材本体５１の厚さよりも厚く形成されており、可動遮光材５の一方端部としての下端部５２の長さ方向の辺である下辺５２ａ（図２参照）は、水平に設定されている。
可動遮光材５の上端部５０は、ウェイトバー１１の中空部１１Ａ内に収納され、遮光材本体５１は、開口１１Ｂを通じてウェイトバー１１の下方に露出されている。
つまり、可動遮光材５は、ウェイトバー１１に非支持状態で嵌められており、矢印で示すように、可動遮光材５とウェイトバー１１の開口１１Ｂとの接触部を中心にウェイトバー１１の周方向に回転することができるようになっている。
【００２９】
これにより、図９の（ａ）に示すように、可動遮光材５が窓枠等の第３枠としての下枠１０２に接触する前は、可動遮光材５はウェイトバー１１から垂直に垂れ下がった状態になる。そして、図９の（ｂ）に示すように、ウェイトバー１１が下枠１０２近くまで下降し、可動遮光材５が、下枠１０２に接触すると、上方への外力が可動遮光材５の下端部５２に加わり、遮光材本体５１が、上端部５０を中心に後方に回転し、下枠１０２からの衝撃を弾力的に吸収する。つまり、可動遮光材５は、ウェイトバークッションとしても機能する。このように可動遮光材５が、下枠１０２に接触した状態では、下端部５２の下辺５２ａ（図２参照）が水平に形成されているので、可動遮光材５の下端部５２が、下枠１０２に隙間なく当接する。
なお、可動遮光材５は、図４に示すように、ロールスクリーン１の後側からの前側に侵入する日射光を遮光するものである。したがって、この実施例では、図８及び図９の（ｂ）に示すように、可動遮光材５を、下端部５２が後方（図の左方）を向いたＪ字状に形成して、可動遮光材５が後方に回転するように設定してある。これは、可動遮光材５を、下端部５２が前方（図の右方）を向いた逆Ｊ字状に形成して、可動遮光材５が前方に回転するように設定すると、後方からの日射光がウェイトバー１１の下端と下枠１０２との間から侵入し、可動遮光材５の前方を向く下端部５２と下枠１０２との僅かな隙間を通過するおそれがあるからである。これに対して、この実施例のように、可動遮光材５を、下端部５２が後方を向いたＪ字状に形成して、可動遮光材５が後方に回転するように設定することで、回転時の可動遮光材５が、ウェイトバー１１の下端と下枠１０２との隙間の前に塞がり、後方からの日射光をこの可動遮光材５によって直接受けるので、後方からの日射光を漏らすことなく完全に遮光することができる。
【００３０】
図４に示すように、ロールスクリーン１の下部においては、さらに、遮光部材６が設けられている。
図１０は、遮光部材６を示す斜視図であり、図１１は、遮光部材６の機能を説明するための下部前面図である。
図１０に示すように、遮光部材６は、前側遮光部６１と後側遮光部６２と側部６３とで形成されている。この遮光部材６は、ガイドレール１３の下キャップ１５に一体形成されている。
具体的には、下キャップ１５は、矩形状の平板体であり、図２に示すように、ガイドレール１３のガイドレール本体１３Ａの下端に固定される。そして、図１０に示すように、遮光部材６の側部６３が、下キャップ１５の側端に連結され、矩形状の前側遮光部６１と後側遮光部６２とが、ウェイトバー１１側を向いた状態で、側部６３の前端と後端とにそれぞれ連結されている。つまり、前側遮光部６１と後側遮光部６２と側部６３とは、平面視において、ウェイトバー１１側に開口した略コ字状の形をなす。
また、側部６３には、上方に開口するテーパ状の凹部６３ａが形成されている。そして、この凹部６３ａの両側には、下側面６３ｂとこれに連続する上側面６３ｃとが位置するが、下側面６３ｂは下キャップ１５に対して垂直に起立するように設定され、上側面６３ｃは、上端が下キャップ１５側に角度θで傾くようにテーパ状に設定されている。
【００３１】
図１１の（ａ）に示すように、スクリーン１０を完全に下降させた場合に、通常は、小さな隙間Ｇ２が、ガイドレール本体１３Ａの基端部としての下端部とウェイトバー１１の側端部としての端部との間に生じる。この隙間Ｇ２の幅はガイドレール本体１３Ａとウェイトバー１１の端部との距離ｄ１であり、高さはスクリーン１０の下端と下枠１０２表面との距離ｄ２である。
しかし、この実施例では、遮光部材６を設けているので、隙間Ｇ２が遮光部材６によって前後から完全に覆われた状態になる。
すなわち、図１１の（ｂ）に示すように、遮光部材６が下キャップ１５のウェイトバー１１側の端に連結しているので、ウェイトバー１１の端部が前側遮光部６１と後側遮光部６２とによって隠され、隙間Ｇ２が、前側遮光部６１と後側遮光部６２とによって、前後から覆われた状態になっている。
また、垂直な下側面６３ｂとテーパ状の上側面６３ｃとを有した２つの遮光部材６，６が、両側のガイドレール１３，１３間の両側に向き合った状態で配置されているので、ウェイトバー１１を下降させていく際に、ウェイトバー１１は、長さ方向に多少振れても、テーパ状の上側面６３ｃによって下側面６３ｂ側に確実に案内される。そして、ウェイトバー１１が完全に下降し終わると、ウェイトバー１１は、２つの遮光部材６，６の垂直な下側面６３ｂ，６３ｂ間に収まり、ウェイトバー１１の両端面が垂直な下側面６３ｂ，６３ｂに挟まれた状態になる。この結果、ウェイトバー１１の両端部が、遮光部材６，６に収納されると、ウェイトバー１１の両端部が側面６３ｂ，６３ｂによって固定され、上下方向及び左右方向にぐらつくことはない。
【００３２】
次に、この実施例の日射遮蔽装置の遮光構造が示す作用及び効果について説明する。
図４に示すように、スクリーン１０を完全に降ろした状態では、窓の外（ロールスクリーン１の後側）から入射した日射光の大部分が、スクリーン１０によって遮光される。また、スクリーン１０の外縁部１０Ａが、ガイドレール１３のガイド通路１３Ｃに入り込んでいるので、日射光がガイド通路１３Ｃとガイドレール１３との間から室内に入り込むこともない。
【００３３】
また、日射光が、そして、ロールスクリーン１の後側から遮蔽機構１２の上方や後方に向かった場合には、遮光板２の天壁２０と後壁２１とによって遮光される。したがって、日射光が遮蔽機構１２の巻取軸１２Ａの隙間等から室内に入る込むことはない。
また、遮光板２の両側の遮光領域が狭い場合には、図６の（ｂ）に示したように、補助遮光体３を遮光板２から離れる方向にスライドさせることにより、補助遮光体３の両側の遮光領域を拡げることができる。
【００３４】
ところで、図４に示すように、隙間Ｇ１が、遮光板２の後壁２１の下端とガイドレール１３の上端の間に存在するが、この隙間Ｇ１は、遮光部材４の上キャップ１４と水平遮光部４０と垂直遮蔽部４１とによって覆われているので、この隙間Ｇ１に向かう日射光は、遮光部材４によってほぼ完全に遮光される。
【００３５】
また、スクリーン１０が最下位まで降ろされた状態では、通常は、ウェイトバー１１が下枠１０２まで降り、隙間がウェイトバー１１下端と下枠１０２表面との間に発生して、漏光するおそれがある。しかし、この実施例では、可動遮光材５が下枠１０２に接触し、水平な下辺５２ａを有する可動遮光材５の下端部５２が、下枠１０２に隙間なく当接するので（図９の（ｂ）参照）、ウェイトバー１１と下枠１０２との間に隙間は、この可動遮光材５によって遮光される。
【００３６】
さらに、ガイドレール１３の下端部とウェイトバー１１の端部との間に生じる小さな隙間Ｇ２（図１１の（ｂ）参照）は、前側遮光部６１と後側遮光部６２とによって、前後から覆われた状態になり、遮光される。  
【００３７】
（実施例２）
次に、この発明の第２実施例について説明する。
図１２は、この発明の第２実施例に係る日射遮蔽装置の遮光構造に適用されるフロントパネルを示す斜視図であり、図１３は、この実施例の日射遮蔽装置の遮光構造を示す断面図である。
【００３８】
図１２に示すように、この実施例の日射遮蔽装置の遮光構造は、フロントパネル７で遮蔽機構１２を覆った点が、上記第１実施例と異なる。
適用されるフロントパネル７は、遮蔽機構１２全体を覆うことのできる大きさのカバー体であり、前面部７０と上面部７１と下面部７２と両側面部７３，７３とを有している。
フロントパネル７の長さ（図１２の左右方向の寸法）は、遮光板２の長さよりも長めに設定されている。また、フロントパネル７の右下には、チェーン引出口７４が設けられ、チェーン１２Ｃを、フロントパネル７内の遮蔽機構１２からこのチェーン引出口７４を通じて外部に引き出すことができるようになっている。
このようなフロントパネル７は、遮蔽機構１２の上方と前方と下方と両側方を覆うように遮光板２に取り付けられている。
具体的には、図１３に示すように、折返部７１ａが、フロントパネル７の上面部７１の先端縁に設けられ、この折返部７１ａが、遮光板２の天壁２０の先端縁に設けられた溝部２０ａに引っ掛けられている。そして、折返状のフランジ部７２ａが、下面部７２の先端に設けられ、このフランジ部７２ａが上キャップ１４の前側誘導壁１４Ａにビス７２ｂにて固定されている。
かかる構成により、遮蔽機構１２の周囲全域が、フロントパネル７と遮光板２とによって遮光される。
その他の構成，作用及び効果は上記第１実施例と同様であるので、その記載は省略する。
【００３９】
（実施例３）
次に、この発明の第３実施例について説明する。
図１４は、この発明の第３実施例に係る日射遮蔽装置の遮光構造の要部を示す斜視図である。
図１４に示すように、この実施例の遮光構造では、ガイドレール１３のレールベース１３Ｂに遮光部８を設けた点が、上記第１及び第２実施例と異なる。
遮光部８は、ガイドレール１３の側面のうちスクリーン１０側を向く側面とは反対の側面であるレールベース１３Ｂの背面１３Ｂ１に設けられている。
具体的には、このレールベース１３Ｂは合成樹脂製であり、背骨部１３Ｂ２が、背面１３Ｂ１の中央に突設されている。複数のビス孔１３Ｂａが、この背骨部１３Ｂ２に列設されており、凹状の１対の溝部１３Ｂ３，１３Ｂ３が、背骨部１３Ｂ２の両側に設けられている。
そして、帯状の１対の遮光部８，８が背骨部１３Ｂ２の両縁から引き出され、溝部１３Ｂ３，１３Ｂ３の真上に配置されている。遮光部８の幅及び長さは、溝部１３Ｂ３の幅及び長さにほぼ等しく設定され、その厚さは、レールベース１３Ｂ自体の厚さよりも、薄く設定されている。つまり、遮光部８は、レールベース１３Ｂに一体形成されているが、レールベース１３Ｂ自体より軟質性が高く、溝部１３Ｂ３方向に加わる外力に対して弾性を有している。
【００４０】
次に、この実施例の日射遮蔽装置の遮光構造が示す作用及び効果について説明する。
図１５は、この実施例の遮光構造が示す作用及び効果を説明するための断面図である。
図１５の（ａ）に示すように、レールベース１３Ｂの背面１３Ｂ１を窓枠等の第２枠としての縦枠１０１側に向け、ビス１３Ｂｂをビス孔１３Ｂａを通じて縦枠１０１に螺入することにより、レールベース１３Ｂを上枠１００の両側の枠である縦枠１０１に固定することができる。
このとき、背骨部１３Ｂ２と縦枠１０１とが密着し、隙間が発生していない場合には、遮光部８が、縦枠１０１によって溝部１３Ｂ３内に押し込められた状態になる。
ところが、寸法誤差や建て付けの悪い場合等には、隙間が背骨部１３Ｂ２と縦枠１０１との間に発生し、日射光がこの隙間から入り込むおそれがある。
しかし、この実施例では、弾性を有する遮光部８が、背骨部１３Ｂ２の両縁に形成されているので、図１５の（ｂ）に示すように、隙間Ｇ３が背骨部１３Ｂ２と縦枠１０１との間に発生すると、遮光部８，８が隙間Ｇ３の分だけ復旧して、隙間Ｇ３を前後方向から覆う。この結果、隙間Ｇ３に向かう日射光は、遮光部８，８によって遮光される。
その他の構成，作用及び効果は上記第１及び第２実施例と同様であるので、その記載は省略する。
【００４１】
（実施例４）
次に、この発明の第４実施例について説明する。
図１６は、この発明の第４実施例に係る日射遮蔽装置の遮光構造の要部を示す断面図である。
【００４２】
図１６の（ａ）に示すように、この実施例の遮光構造では、可動遮光材５’の形状が、上記第１実施例の可動遮光材５と異なる。
可動遮光材５’は、断面略Ｉ字状をなす合成樹脂製の帯体であり、その上端部５０’は、ウェイトバー１１の中空部１１Ａ内に収納され、遮光材本体５１’は、開口１１Ｂを通じてウェイトバー１１の下方に露出されている。
つまり、可動遮光材５’も可動遮光材５と同様に、ウェイトバー１１に非支持状態で嵌められており、ウェイトバー１１に対して開口１１Ｂを通じて進退、すなわち上下動することができるようになっている。
【００４３】
これにより、図１６（ｂ）に示すように、ウェイトバー１１が下枠１０２近くまで下降し、可動遮光材５’が、下枠１０２に接触すると、可動遮光材５’全体が、矢印で示すように、上方に移動すると共に、その下端部５２’が、下枠１０２に隙間なく当接して、ウェイトバー１１と下枠１０２との間を遮光する。
その他の構成，作用及び効果は上記第１実施例と同様であるので、その記載は省略する。
【００４４】
（実施例５）
次に、この発明の第４実施例について説明する。
図１７は、この発明の第５実施例に係る日射遮蔽装置の遮光構造の要部を示す断面図である。
【００４５】
図１７の（ａ）に示すように、この実施例の遮光構造では、可動遮光材５’’が、上記第１及び第４実施例の可動遮光材５と異なる。
可動遮光材５’’は、断面略Ｊ形の弾性を有する部材であり、例えばゴム等で形成されている。具体的には、その上端部５０’’が、ウェイトバー１１の中空部１１Ａ内に収納され、遮光材本体５１’’が、開口１１Ｂを通じてウェイトバー１１の下方に露出されている。
【００４６】
これにより、図１７（ｂ）に示すように、ウェイトバー１１が下枠１０２近くまで下降し、可動遮光材５’’が、下枠１０２に接触すると、可動遮光材５’’が、その下端部５２’’を下枠１０２に密着させた状態で、上方に撓み、ウェイトバー１１と下枠１０２との間を遮光する。
その他の構成，作用及び効果は上記第１実施例と同様であるので、その記載は省略する。
【００４７】
（実施例６）
次に、この発明の第６実施例について説明する。
図１８は、この発明の第６実施例に係る日射遮蔽装置の遮光構造に適用される下部遮光部材を示す斜視図である。
【００４８】
この実施例の日射遮蔽装置の遮光構造では、図１８に示すように、下部遮光部材９が適用される。
この下部遮光部材９は、合成樹脂で形成された長尺体であり、その長さは、ウェイトバー１１の長さと略同長に設定されている。この下部遮光部材９の上面には、上方から下方に狭まるテーパ部９１が下部遮光部材９の長さ方向に渡って形成され、テーパ部９１の底には、下方に凹んだ溝部９２が形成されている。
テーパ部９１は、上記したウェイトバー１１を載せるための部分あり、溝部９２は、ウェイトバー１１に取り付けられた上記可動遮光材５，５’を収納するための部分である
【００４９】
図１９は、この実施例の日射遮蔽装置の遮光構造の機能を説明するための断面図である。
図８に示したウェイトバー１１が、ロールスクリーン１に適用されている場合には、図１９の（ａ）に示すように、下部遮光部材９を下枠１０２に固定する。しかる後、ウェイトバー１１をテーパ部９１の上に載置すると共に、断面略Ｊ字状の可動遮光材５を溝部９２内に収納する。このとき、可動遮光材５の下端部５２は、溝部９２の底と接触して、溝部９２内に入り込んだ日射光を遮光するようにしている。
また、図１６に示したウェイトバー１１の場合には、図１９の（ｂ）に示すように、ウェイトバー１１をテーパ部９１の上に載置すると共に、断面略Ｉ字状の可動遮光材５’を溝部９２内に収納する。この可動遮光材５’の下端部５２’も、溝部９２の底と接触して、溝部９２内に入り込んだ日射光を遮光するようになっている。
これにより、ウェイトバー１１の下端と下枠１０２との間が、下部遮光部材９によって完全に遮光される。
なお、この下部遮光部材９は、ガイドレール１３，１３の間に配置固定されるため、ロールスクリーン１の下部フレームとしても機能する。
その他の構成，作用及び効果は上記第１ないし第４実施例と同様であるので、その記載は省略する。
【００５０】
（実施例７）
次に、この発明の第７実施例について説明する。
図２０は、この発明の第７実施例に係る日射遮蔽装置の遮光構造を示す断面図であり、図２１は、遮光構造に適用される上キャップ１４の後面図である。
【００５１】
図２０に示すように、この実施例の日射遮蔽装置の遮光構造は、上キャップ１４と一体に形成された前側遮光板１６と後側遮光板１７と遮光扉１８とで構成されている。
前側遮光板１６は、前側（図２０の右側）を向いた状態で、上キャップ１４の前側誘導壁１４Ａの真上に立設されている。
後側遮光板１７は、後側誘導壁１４Ｂの真上に立設され、前側遮光板１６と後方で対向している。また、後側遮光板１７の上端は、遮光板２の後壁２１の端部と下方から当接しており、後側遮光板１７が、遮光板２の端部と上キャップ１４との間の隙間を覆っている。  つまり、結果的に、前側遮光板１６は、ガイドレール１３の前側ガイド壁１３ａ１の真上に立設され、後側遮光板１７は、後側ガイド壁１３ａ２の真上に立設されている。そして、後側遮光板１７が、遮光板２の端部とガイドレール１３の上端部との隙間を覆っている。
このような後側遮光板１７には、切欠部１７Ａが形成されている。
図２１に示すように、切欠部１７Ａは、逆コ字状に形成され、図２１の右側、つまり図示しないスクリーン１０側に向かって開口している。そして、切欠部１７Ａの下縁部１７Ａ１が、右の開口側に向かって下方に角度θで傾斜している。
【００５２】
遮光扉１８は、後側遮光板１７の切欠部１７Ａに開閉自在に取り付けられている。
図２２は、遮光扉１８を下方から見た斜視図である。
図２２に示すように、遮光扉１８は、円柱部１８Ａと扉本体部１８Ｂとで構成されている。
円柱部１８Ａは、上下方向を向く中心軸１８Ｃに固着されており、その下面１８Ａ１は、下縁部１７Ａ１と同角度θで傾斜している。
扉本体部１８Ｂは、円柱部１８Ａと一体に形成された平板状体である。この扉本体部１８Ｂは、左側端が下面１８Ａ１の最下点に位置するように、円柱部１８Ａの周面に連結されている。そして、下面１８Ｂ１は、円柱部１８Ａの下面１８Ａ１と連続し、下面１８Ａ１と同角度θで傾斜している。
図２１に示すように、円柱部１８Ａは、切欠部１７Ａの側縁部１７Ａ２近傍に設けられた収納室１９に収納されている。
図２３は、遮光扉１８の取り付け状態を示す概略図である。
図２３に示すように、収納室１９は、遮光扉１８の円柱部１８Ａの周囲を囲むような形状をなし、図２１に示すように、その高さは、遮光扉１８全体の高さよりも高く設定されている。これにより、遮光扉１８の円柱部１８Ａは、中心軸１８Ｃを中心に自由に回転することができ、収納室１９内で自由に上下動することができるが、横方向（図２１の前後左右方向）への移動は、収納室１９によって規制される。
また、収納室１９に収納された円柱部１８Ａは、下面１８Ａ１の後部を切欠部１７Ａの下縁部１７Ａ１上に載せている。具体的には、円柱部１８Ａの下面１８Ａ１の傾斜と下縁部１７Ａ１の傾斜とを一致させた状態で、中心軸１８Ｃよりも後方の下面１８Ａ１の部分（図２２においてハッチされた部分）を下縁部１７Ａ１上に当接させている。これにより、扉本体部１８Ｂの下面１８Ｂ１全体が、下縁部１７Ａ１上に当接している。
【００５３】
図２４は、上キャップ１４の下面図であり、図２５は、上キャップの挿入部をガイドレール１３に挿入させた状態を示す断面図である。
図２４及び図２１に示すように、上キャップ１４の下面には、平面視で略凸字状の挿入部１４ＦとＴ字状の２つの挿入部１４Ｇ，１４Ｇとが突設されている。
これらの挿入部１４Ｆ，１４Ｇは、上キャップ１４をガイドレール１３に取り付けるための部材である。すなわち、図２５に示すように、挿入部１４Ｆ，１４Ｇを、ガイドレール本体１３Ａの前側ガイド壁１３ａ１と後側ガイド壁１３ａ２との間の空間に挿入することで、前側遮光板１６と後側遮光板１７と遮光扉１８とを有する上キャップ１４を、ガイドレール１３のガイドレール本体１３Ａ上に固定することができる。
【００５４】
次に、この実施例の日射遮蔽装置の遮光構造が示す作用及び効果について説明する。
図２６は、遮光扉１８が前側に開いた状態を示す概略図であり、図２７は、図２６に対応した上キャップ１４の後面図であり、図２８は、遮光扉１８が後側に開いた状態を示す概略図である。
図２１に示したように、通常時は、外力が遮光扉１８に加わっていないので、遮光扉１８は自重で最下位の位置にあり、円柱部１８Ａの後方の下面１８Ａ１の部分と扉本体部１８Ｂの下面１８Ｂ１全体が、切欠部１７Ａの下縁部１７Ａ１上に当接している。つまり、遮光扉１８は、後側遮光板の切欠部１７Ａに対して閉じた状態にある。
【００５５】
かかる状態から、外力を扉本体部１８Ｂに加え、前方に押すと、図２６に示すように、円柱部１８Ａが中心軸１８Ｃ周りで回転すると共に、図２７に示すように、収納室１９内で上昇する。したがって、外力を維持することで、遮光扉１８は、切欠部１７Ａに対して前側に開いた状態になる。逆に、図２８に示すように、扉本体部１８Ｂを後方に引いて、その外力を維持することにより、遮光扉１８が、切欠部１７Ａに対して後側に開いた状態になる。
そして、外力を扉本体部１８Ｂから解放すると、遮光扉１８が自重で下降すると共に、円柱部１８Ａが逆回転して、遮光扉１８が元の閉じた状態に戻る。
【００５６】
図２９は、スクリーン１０の復帰作業時における遮光扉１８の機能を説明するための断面図である。
通常は、図２０に示したように、遮光扉１８が閉じた状態にあるため、後方からの日射光は、後側遮光板１７と閉じた遮光扉１８によって遮光される。
しかし、図２９の二点鎖線で示すように、スクリーン１０をガイドレール１３の後側に押し込んで外す作業を行うと、スクリーン１０による押圧力が、扉本体部１８Ｂに加わり、遮光扉１８が後方に開く。そして、図２９の破線で示すように、スクリーン１０を戻し、外縁部をガイドレール１３に入り込ませると、スクリーン１０による押圧力が解除され、遮光扉１８が自重により自動的に閉じる。
ところで、スクリーン１０をガイドレール１３の後側に押し込む際に、スクリーン１０を押し込み過ぎると、スクリーン１０による扉本体部１８Ｂへの押圧力が解除され、遮光扉１８が自動的に閉じてしまう。
しかし、遮光扉１８が閉じた状態でも、スクリーン１０をガイドレール１３側に戻せば、図２９の実線で示すように、スクリーン１０が扉本体部１８Ｂを前方に押すので、遮光扉１８が前側に開いて、スクリーン１０をガイドレール１３側に戻すことができる。
その他の構成，作用及び効果は上記第１ないし第６実施例と同様であるので、その記載は省略する。
【００５７】
（実施例８）
次に、この発明の第８実施例について説明する。
図３０は、この発明の第８実施例に係る日射遮蔽装置の遮光構造を示す断面図である。
図３０の（ａ）に示すように、この実施例では、遮光用の生地３５を補助遮光体３に設けた。
具体的には、生地３５の大半部３５ａを、補助遮光体３の短後壁３０に貼り付け、残部を遮光部３５ｂとして、側壁３１の側に折り曲げた構造になっている。つまり、遮光部３５ｂは、側壁３１に対して接離可能に折り曲げられている。
【００５８】
かかる構成により、図３０の（ｂ）に示すように、補助遮光体３を延ばして、縦枠１０１に当接するようにすると、生地３５の遮光部３５ｂが、補助遮光体３の側壁３１と縦枠１０１との間に介在した状態になる。したがって、隙間が、側壁３１と縦枠１０１との間に発生していない場合には、遮光部３５ｂが側壁３１に圧接した状態になる。
また、隙間が側壁３１と縦枠１０１との間に発生すると、遮光部３５ｂがその隙間の分だけ復旧して、隙間を覆うこととなる。
【００５９】
図３１は、第８実施例の一変形例を示す断面図である。
この実施例では、遮光部を生地３５の一部３５ｂで形成したが、図３１に示すように、遮光部３１ｂを補助遮光体３の側壁３１に一体形成してもよい。
また、スポンジ等の弾性体を補助遮光体３の側壁３１に貼り付けても、同様の作用および効果を得ることができることは勿論である。
その他の構成，作用及び効果は上記第１ないし第７実施例と同様であるので、その記載は省略する。
【００６０】
（実施例９）
次に、この発明の第９実施例について説明する。
図３２は、この発明の第９実施例に係る日射遮蔽装置の遮光構造の要部を示す斜視図である。
【００６１】
図３２に示すように、この実施例においては、遮光部材４の水平遮光部４０に傾斜面４０ｃを形成した。
具体的には、湾曲部４０ｄが水平遮光部４０の前部に設けられている。そして、水平遮光部４０の部分４０ｂがこの湾曲部４０ｄに対して水平に突出している。傾斜面４０ｃは、この部分４０ｂに形成されている。傾斜面４０ｃは、上キャップ１４側に向かって下降するように設定されている。
【００６２】
図３３は、ウェイトバー１１のキャップを示す断面図である。なお、この図では、理解を容易にするため、ウェイトバー１１の内部断面の表示は省略し、キャップのみを断面表示した。
図３３に示すように、通常、ウェイトバー１１の両端部には、キャップ１１Ｃが嵌められている。そして、キャップ１１Ｃの下端部は、可動遮光材５と干渉しないように除去されており、ウェイトバー１１の下部には、キャップ１１Ｃの下端による段差１１Ｃ’が存在している。
【００６３】
図３４は、ウェイトバー１１の引っ掛かり状態を示す断面図であり、図３５は、傾斜面４０ｃの作用を説明するための断面図である。
図３４に示すように、水平遮光部４０の部分４０ｂに傾斜面がなく、前面４０ｅが垂直に形成されていると、ウェイトバー１１を最上位から下降させていく際に、ウェイトバー１１のキャップ１１Ｃによる段差１１Ｃ’が、部分４０ｂの直角な縁Ｐに引っ掛かり、ウェイトバー１１を下降させることができなくなってしまう。
しかし、この実施例のように、水平遮光部４０の部分４０ｂに傾斜面４０ｃを形成しておくことにより、図３５に示すように、ウェイトバー１１のキャップ１１Ｃによる段差１１Ｃ’が部分４０ｂに引っ掛かることなく、ウェイトバー１１が傾斜面４０ｃの上を滑降し、ウェイトバー１１を確実に下降させることができる。
その他の構成，作用及び効果は上記第１ないし第８実施例と同様であるので、その記載は省略する。
【００６４】
なお、この発明は、上記実施例に限定されるものではなく、発明の要旨の範囲内において種々の変形や変更が可能である。
例えば、上記第３実施例では、遮光部として、帯状の１対の遮光部８，８を適用した例を示したが、これに限定されるものではなく、例えば、図３６に示すように、溝部１３Ｂ３の深さよりも厚いスポンジ等の弾性体８’を、溝部１３Ｂ３内に収納して、レールベース１３Ｂと縦枠１０１との間の隙間を無くすようにしても良い。
【００６５】
また、上記第３実施例では、１対の遮光部８，８を２つの溝部１３Ｂ３，１３Ｂ３内に位置するように、背骨部１３Ｂ２の両側に形成したが、遮光部８は、必ずしも、２つ必要でなく、１つの遮光部８を背骨部１３Ｂ２の一方側に形成して、一方側の溝部１３Ｂ３内に配するようにしても良い。
【００６６】
また、上記第６実施例の変形例として、図３７に示すような下部遮光部材９’も提示することができる。
図３７に示すように、この下部遮光部材９’は、水平な底部９０’と、この底部９０’の前後に起立した１対の縦壁９１’とで形成されている。１対の縦壁９１’の間隔幅は、遮光部材６の前側遮光部６１と後側遮光部６２との間隔幅に設定され、図に示すように、下部遮光部材９’の端部が、前側遮光部６１と後側遮光部６２との間にぴったりはまるようになっている。
これにより、図３７の二点鎖線で示すように、ウェイトバー１１を降ろして、下部遮光部材９’内に収納し、その下端部５２を下部遮光部材９’の底部９０’に接触させることで、日射光を可動遮光材５によって遮光することができるだけでなく、図の左右方向からの日射光も、下部遮光部材９’の縦壁９１’によって遮光することができる。
【００６７】
また、上記第１実施例の可動遮光材では、開口１１Ｂとの接触部を中心にウェイトバー１１の周方向に回転自在の状態でウェイトバー１１に嵌めた可動遮光材５を適用し、上記第４実施例の可動遮光材では、開口１１Ｂを通じて進退自在の状態でウェイトバー１１に嵌めた可動遮光材５’を適用し、上記第５実施例の可動遮光材では、弾性を有する状態でウェイトバー１１に嵌められた可動遮光材５’’を適用した例を示したが、可動遮光材は、このように１つの状態でウェイトバーに嵌めれるものに限定されるものではない。すなわち、開口との接触部を中心にウェイトバーの周方向に回転自在の状態で且つウェイトバーに対して開口を通じて進退自在の状態で嵌められた可動遮光材、開口との接触部を中心にウェイトバーの周方向に回転自在の状態で且つ弾性を有する状態で嵌められた可動遮光材、ウェイトバーに対して開口を通じて進退自在の状態で且つ弾性を有する状態で嵌められた可動遮光材や、ウェイトバーの周方向に回転自在の状態で且つウェイトバーに対して開口を通じて進退自在の状態で且つ弾性を有する状態で嵌められた可動遮光材もこの発明の範囲に含まれる。
【００６８】
また、上記第７実施例では、前側遮光板１６と後側遮光板１７と遮光扉１８とを上キャップ１４と一体に形成した例を示したが、上キャップ１４を必要としないガイドレールでは、前側遮光板１６と後側遮光板１７と遮光扉１８とをガイドレールの上に直接設けることができることは、勿論である。
【００６９】
また、上記実施例では、ガイドレールとして、ガイドレール本体１３Ａとレールベース１３Ｂとの２つの部材で構成されるガイドレール１３を適用した例を示したが、レールベースを持たず、ガイドレール本体を窓枠等の縦枠に直接固定する構造のガイドレールも、この発明のガイドレールとして適用することができる。
【００７０】
また、上記実施例では、図２〜図４に示したように、遮光材の一方側をスクリーン１０の前側とし、遮光材の他方側をスクリーン１０の後側とした例について説明したが、日射遮蔽装置であるロールスクリーン１の建築物への取り付けた方によって、遮光材の一方側がスクリーン１０の後側、上側又は下側を示し、遮光材の他方側がスクリーン１０の前側、下側又は上側を示す場合があることは勿論である。
【００７１】
さらに、上記実施例では、日射遮蔽装置として、ロールスクリーンを適用した例を示したが、ロールスクリーンだけでなく、プリーツスクリーン、ブラインド装置等にも適用することができる。
【符号の説明】
【００７２】
１…ロールスクリーン、  ２…遮光板、  ３…補助遮光体、  ４，６…遮光部材、  ５，５’，５’’…可動遮光材、  ７…フロントパネル、  ８…遮光部、  ８’…弾性体、  ９，９’…下部遮光部材、  １０…スクリーン、  １０Ａ…外縁部、  １１…ウェイトバー、  １１Ａ…中空部、  １１Ｂ，３３ａ…開口、  １２…遮蔽機構、  １２Ａ…巻取軸、  １２Ｂ…回転機構、  １２Ｃ…チェーン、  １２Ｄ…取付フレーム、  １２Ｅ…ブラケット、  １３…ガイドレール、  １３Ａ…ガイドレール本体、  １３Ｂ…レールベース、  １３Ｂ３，２０ａ，９２…溝部、  １３Ｂ１…背面、  １３Ｂ２…背骨部、  １３Ｂａ，２０ａ…ビス孔、  １３Ｂｂ，２０ｂ，７２ｂ…ビス、  １３Ｃ…ガイド通路、  １３ａ１…前側ガイド壁、  １３ａ２…後側ガイド壁、  １４…上キャップ、  １４Ａ…前側誘導壁、  １４Ｂ…後側誘導壁、  １４Ｃ…誘導溝、  １４Ｄ…ベース挿入壁、  １４Ｆ，１４Ｇ…挿入部、  １５…下キャップ、  １６，６１…前側遮光部、  １７，６２…後側遮光部、  １７Ａ１…下縁部、  １７Ａ２…側縁部、  １７Ａ…切欠部、  １８…遮光扉、  １８Ａ１，１８Ｂ１…下面、  １８Ａ…円柱部、  １８Ｂ…扉本体部、  １８Ｃ…中心軸、  １９…収納室、  ２０…天壁、  ２１…後壁、  ２１ａ，７１ａ…折返部、  ３０…短後壁、  ３１…側壁、  ３２…舌片、  ３３…サヤ部、  ３５…生地、  ４０…水平遮光部、  ４０ａ…先端部、  ４０ｃ…傾斜面、  ４１…垂直遮蔽部、  ５０，５０’，５０’’…上端部、  ５１，５１’，５１’’…遮光材本体、  ５２，５２’，５２’’…下端部、  ５２ａ…下辺、  ６３…側部、  ６３ａ…凹部、  ７０…前面部、  ７１…上面部、  ７２…下面部、  ７２ａ…フランジ部、  ７３…側面部、  ７４…チェーン引出口、  ９０’…底壁、  ９１…テーパ部、  ９１’…縦壁、  １００…上枠、  １０１…縦枠、  １０２…下枠、  Ｇ１，Ｇ２，Ｇ３…隙間。
【図１】
2015187372.tif 000003
【図２】
2015187372.tif 000004
【図３】
2015187372.tif 000005
【図４】
2015187372.tif 000006
【図５】
2015187372.tif 000007
【図６】
2015187372.tif 000008
【図７】
2015187372.tif 000009
【図８】
2015187372.tif 000010
【図９】
2015187372.tif 000011
【図１０】
2015187372.tif 000012
【図１１】
2015187372.tif 000013
【図１２】
2015187372.tif 000014
【図１３】
2015187372.tif 000015
【図１４】
2015187372.tif 000016
【図１５】
2015187372.tif 000017
【図１６】
2015187372.tif 000018
【図１７】
2015187372.tif 000019
【図１８】
2015187372.tif 000020
【図１９】
2015187372.tif 000021
【図２０】
2015187372.tif 000022
【図２１】
2015187372.tif 000023
【図２２】
2015187372.tif 000024
【図２３】
2015187372.tif 000025
【図２４】
2015187372.tif 000026
【図２５】
2015187372.tif 000027
【図２６】
2015187372.tif 000028
【図２７】
2015187372.tif 000029
【図２８】
2015187372.tif 000030
【図２９】
2015187372.tif 000031
【図３０】
2015187372.tif 000032
【図３１】
2015187372.tif 000033
【図３２】
2015187372.tif 000034
【図３３】
2015187372.tif 000035
【図３４】
2015187372.tif 000036
【図３５】
2015187372.tif 000037
【図３６】
2015187372.tif 000038
【図３７】
2015187372.tif 000039